(57)【要約】【課題】ＭＭＴ送信システムからＭＭＴＰデータを受信し提示する際に、ＭＭＴ提示装置の遅延によって生じるずれを解消する。【解決手段】同期制御装置５は、所定の時刻に特徴点を含むテストＭＭＴＰデータをＭＭＴ提示クライアント装置に入力するテスト信号入力部５１と、ＭＭＴ提示装置によるテストＭＭＴＰデータの提示を検出した結果を、検出装置から取得するテスト信号検出部５２と、テスト信号検出部５２が取得した結果から特定された特徴点の時刻と、所定の時刻とを比較して、ＭＭＴ提示装置７の遅延量を特定する遅延量特定部５３と、ＭＭＴ提示クライアント装置６に対して、遅延量特定部５３で特定された遅延量と、デコードされたＭＭＴＰデータをＭＭＴ提示装置７に入力するタイミングを補正する指示を入力する遅延補正部５４を備える。【選択図】      図３
2018201150.tif 000002
【特許請求の範囲】
【請求項１】
ＭＭＴ送信システムからＭＭＴＰデータを受信するＭＭＴ受信システムであって、
前記ＭＭＴＰデータを受信してデコードし、指定された提示時刻にあわせて前記デコードされたＭＭＴＰデータを後記ＭＭＴ提示装置に入力するＭＭＴ提示クライアント装置と、
前記ＭＭＴ提示クライアント装置に接続し、デコードされたＭＭＴＰデータを、提示するＭＭＴ提示装置と、
前記ＭＭＴ提示装置による提示を検出する検出装置と、
前記ＭＭＴ提示クライアント装置および前記検出装置に接続する同期制御装置を備え、
前記同期制御装置は、
所定の時刻に特徴点を含むテストＭＭＴＰデータを前記ＭＭＴ提示クライアント装置に入力するテスト信号入力部と、
前記ＭＭＴ提示装置による前記テストＭＭＴＰデータの提示を検出した結果を、前記検出装置から取得するテスト信号検出部と、
前記テスト信号検出部が取得した結果から特定された前記特徴点の時刻と、前記所定の時刻とを比較して、前記ＭＭＴ提示装置の遅延量を特定する遅延量特定部と、
前記ＭＭＴ提示クライアント装置に対して、前記遅延量特定部で特定された遅延量と、前記デコードされたＭＭＴＰデータを前記ＭＭＴ提示装置に入力するタイミングを補正する指示を入力する遅延補正部
を備えることを特徴とするＭＭＴ受信システム。
【請求項２】
前記テストＭＭＴＰデータが映像に関する場合、
前記検出装置はカメラであって、
前記特徴点は、映像の変更、または特定情報の透かしである
ことを特徴とする請求項１に記載のＭＭＴ受信システム。
【請求項３】
前記テストＭＭＴＰデータが音声に関する場合、
前記検出装置はマイクであって、
前記特徴点は、音声の変更、または特定情報の透かしである
ことを特徴とする請求項１に記載のＭＭＴ受信システム。
【請求項４】
前記ＭＭＴ提示クライアント装置は、
前記ＭＭＴ送信システムから受信したＭＭＴＰデータの所定の時刻に、前記特徴点を重畳する
ことを特徴とする請求項１ないし３のいずれか１項に記載のＭＭＴ受信システム。
【請求項５】
ＭＭＴ送信システムからＭＭＴＰデータを受信するＭＭＴ受信システムに用いられる同期制御装置であって、
前記ＭＭＴ受信システムは、
前記ＭＭＴＰデータを受信してデコードし、指定された提示時刻にあわせて前記デコードされたＭＭＴＰデータを後記ＭＭＴ提示装置に入力するＭＭＴ提示クライアント装置と、
前記ＭＭＴ提示クライアント装置に接続し、デコードされたＭＭＴＰデータを、提示するＭＭＴ提示装置と、
前記ＭＭＴ提示装置による提示を検出する検出装置と、
前記ＭＭＴ提示クライアント装置および前記検出装置に接続する同期制御装置を備え、
前記同期制御装置は、
所定の時刻に特徴点を含むテストＭＭＴＰデータを前記ＭＭＴ提示クライアント装置に入力するテスト信号入力部と、
前記ＭＭＴ提示装置による前記テストＭＭＴＰデータの提示を検出した結果を、前記検出装置から取得するテスト信号検出部と、
前記テスト信号検出部が取得した結果から特定された前記特徴点の時刻と、前記所定の時刻とを比較して、前記ＭＭＴ提示装置の遅延量を特定する遅延量特定部と、
前記ＭＭＴ提示クライアント装置に対して、前記遅延量特定部で特定された遅延量と、前記デコードされたＭＭＴＰデータを前記ＭＭＴ提示装置に入力するタイミングを補正する指示を入力する遅延補正部
を備えることを特徴とする同期制御装置。
【請求項６】
ＭＭＴ送信システムからＭＭＴＰデータを受信するＭＭＴ受信システムに用いられる同期制御方法であって、
前記ＭＭＴ受信システムは、
前記ＭＭＴＰデータを受信してデコードし、指定された提示時刻にあわせて前記デコードされたＭＭＴＰデータを後記ＭＭＴ提示装置に入力するＭＭＴ提示クライアント装置と、
前記ＭＭＴ提示クライアント装置に接続し、デコードされたＭＭＴＰデータを、提示するＭＭＴ提示装置と、
前記ＭＭＴ提示装置による提示を検出する検出装置と、
前記ＭＭＴ提示クライアント装置および前記検出装置に接続する同期制御装置を備え、
前記同期制御方法は、
前記同期制御装置が、所定の時刻に特徴点を含むテストＭＭＴＰデータを前記ＭＭＴ提示クライアント装置に入力するステップと、
前記同期制御装置が、前記ＭＭＴ提示装置による前記テストＭＭＴＰデータの提示を検出した結果を、前記検出装置から取得するステップと、
前記同期制御装置が、取得した結果から特定された前記特徴点の時刻と、前記所定の時刻とを比較して、前記ＭＭＴ提示装置の遅延量を特定するステップと、
前記同期制御装置が、前記ＭＭＴ提示クライアント装置に対して、特定された遅延量と、前記デコードされたＭＭＴＰデータを前記ＭＭＴ提示装置に入力するタイミングを補正する指示を入力するステップ
を備えることを特徴とする同期制御方法。
【請求項７】
コンピュータに、請求項５に記載の同期制御装置として機能させるための同期制御プログラム。
【発明の詳細な説明】
【技術分野】
【０００１】
本発明は、ＭＭＴ送信システムからＭＭＴＰデータを受信するＭＭＴ受信システム、ＭＭＴ受信システムで用いられる同期制御装置、同期制御方法および同期制御プログラムに関する。
【背景技術】
【０００２】
近年の情報機器および情報通信の発達に伴い、多様な映像配信形態が提供されている。例えば、話者と聴講者とが異なる物理空間に位置する場合でも、それぞれの物理空間に、ディスプレイ、スピーカー、カメラおよびマイクを設け、通信ネットワークで接続することにより、話者と聴講者とが、互いをリアルに感じてコミュニケーションすることを可能としている。また、複数のディスプレイやカメラを設け、これらを同期させて、迫力のある映像や音声を再生する映像配信形態も可能としている。
【０００３】
このような映像配信形態を実現するために、国際標準規格のＭＭＴ（MPEG Media Transport）が用いられる場合がある（例えば非特許文献１参照）。
【０００４】
ＭＭＴでは、送信側システムから受信側システムに、ＭＭＴＰ（MPEG Media Transport Protocol）データが送信される。このＭＭＴＰデータにおいて、コンテンツの提示時刻をＵＴＣ（Coordinated Universal Time）で指定することが可能である。従って、放送と通信のように、伝送経路が異なる場合でも、再生側で各コンテンツを同期して提示することが可能である。
【０００５】
受信側システムにおいて、ＭＭＴ提示クライアント装置が、ＭＭＴＰデータをデコードして、ＵＴＣで指定された提示時刻にコンテンツを提示するように、ＭＭＴ提示装置にデコードしたＭＭＴＰデータを入力し、ＭＭＴ提示装置が入力されたデータを再生する。
【先行技術文献】
【非特許文献】
【０００６】
【非特許文献１】一般社団法人  電波産業会、“ARIB STD-B60  デジタル放送におけるMMTによるメディアトランスポート方式  標準規格  ＡＲＩＢ  ＳＴＤ−Ｂ６０  １．４版”、平成２７年９月３０日
【発明の概要】
【発明が解決しようとする課題】
【０００７】
ここで、ＵＴＣで指定された提示時刻にコンテンツを提示するために、ＭＭＴ提示クライアント装置がＭＭＴ提示装置にデータを入力した場合であっても、ＭＭＴ提示装置そのものの特性によって遅延が生じたり、およびＭＭＴ提示クライアント装置とＭＭＴ提示装置の接続形態等によって遅延が生じたりする場合がある。その結果、ＵＴＣで指定された時刻にコンテンツを表示することができない場合がある。
【０００８】
従って本発明の目的は、ＭＭＴ送信システムからＭＭＴＰデータを受信し提示する際に、ＭＭＴ提示クライアント装置がＭＭＴ提示装置にデータを出力してから生じる遅延によって生じるずれを解消することができるＭＭＴ受信システム、同期制御装置、同期制御方法および同期制御プログラムを提供することである。
【課題を解決するための手段】
【０００９】
上記課題を解決するために、本発明の第１の特徴は、ＭＭＴ送信システムからＭＭＴＰデータを受信するＭＭＴ受信システムに関する。第１の特徴に係るＭＭＴ受信システムは、ＭＭＴＰデータを受信してデコードし、指定された提示時刻にあわせてデコードされたＭＭＴＰデータを後記ＭＭＴ提示装置に入力するＭＭＴ提示クライアント装置と、ＭＭＴ提示クライアント装置に接続し、デコードされたＭＭＴＰデータを、提示するＭＭＴ提示装置と、ＭＭＴ提示装置による提示を検出する検出装置と、ＭＭＴ提示クライアント装置および検出装置に接続する同期制御装置を備える。同期制御装置は、所定の時刻に特徴点を含むテストＭＭＴＰデータをＭＭＴ提示クライアント装置に入力するテスト信号入力部と、ＭＭＴ提示装置によるテストＭＭＴＰデータの提示を検出した結果を、検出装置から取得するテスト信号検出部と、テスト信号検出部が取得した結果から特定された特徴点の時刻と、所定の時刻とを比較して、ＭＭＴ提示装置の遅延量を特定する遅延量特定部と、ＭＭＴ提示クライアント装置に対して、遅延量特定部で特定された遅延量と、デコードされたＭＭＴＰデータをＭＭＴ提示装置に入力するタイミングを補正する指示を入力する遅延補正部を備える。
【００１０】
テストＭＭＴＰデータが映像に関する場合、検出装置はカメラであって、特徴点は、映像の変更、または特定情報の透かしである。
【００１１】
テストＭＭＴＰデータが音声に関する場合、検出装置はマイクであって、特徴点は、音声の変更、または特定情報の透かしである。
【００１２】
ＭＭＴ提示クライアント装置は、ＭＭＴ送信システムから受信したＭＭＴＰデータの所定の時刻に、特徴点を重畳しても良い。
【００１３】
本発明の第２の特徴は、ＭＭＴ送信システムからＭＭＴＰデータを受信するＭＭＴ受信システムに用いられる同期制御装置に関する。ＭＭＴ受信システムは、ＭＭＴＰデータを受信してデコードし、指定された提示時刻にあわせてデコードされたＭＭＴＰデータを後記ＭＭＴ提示装置に入力するＭＭＴ提示クライアント装置と、ＭＭＴ提示クライアント装置に接続し、デコードされたＭＭＴＰデータを、提示するＭＭＴ提示装置と、ＭＭＴ提示装置による提示を検出する検出装置と、ＭＭＴ提示クライアント装置および検出装置に接続する同期制御装置を備える。第２の特徴に係る同期制御装置は、所定の時刻に特徴点を含むテストＭＭＴＰデータをＭＭＴ提示クライアント装置に入力するテスト信号入力部と、ＭＭＴ提示装置によるテストＭＭＴＰデータの提示を検出した結果を、検出装置から取得するテスト信号検出部と、テスト信号検出部が取得した結果から特定された特徴点の時刻と、所定の時刻とを比較して、ＭＭＴ提示装置の遅延量を特定する遅延量特定部と、ＭＭＴ提示クライアント装置に対して、遅延量特定部で特定された遅延量と、デコードされたＭＭＴＰデータをＭＭＴ提示装置に入力するタイミングを補正する指示を入力する遅延補正部を備える。
【００１４】
本発明の第３の特徴は、ＭＭＴ送信システムからＭＭＴＰデータを受信するＭＭＴ受信システムに用いられる同期制御方法に関する。ＭＭＴ受信システムは、ＭＭＴＰデータを受信してデコードし、指定された提示時刻にあわせてデコードされたＭＭＴＰデータを後記ＭＭＴ提示装置に入力するＭＭＴ提示クライアント装置と、ＭＭＴ提示クライアント装置に接続し、デコードされたＭＭＴＰデータを、提示するＭＭＴ提示装置と、ＭＭＴ提示装置による提示を検出する検出装置と、ＭＭＴ提示クライアント装置および検出装置に接続する同期制御装置を備える。第３の特徴に係る同期制御方法は、同期制御装置が、所定の時刻に特徴点を含むテストＭＭＴＰデータをＭＭＴ提示クライアント装置に入力するステップと、同期制御装置が、ＭＭＴ提示装置によるテストＭＭＴＰデータの提示を検出した結果を、検出装置から取得するステップと、同期制御装置が、取得した結果から特定された特徴点の時刻と、所定の時刻とを比較して、ＭＭＴ提示装置の遅延量を特定するステップと、同期制御装置が、ＭＭＴ提示クライアント装置に対して、特定された遅延量と、デコードされたＭＭＴＰデータをＭＭＴ提示装置に入力するタイミングを補正する指示を入力するステップを備える。
【００１５】
本発明の第４の特徴は、コンピュータに、本発明の第２の特徴に記載の同期制御装置として機能させるための同期制御プログラムに関する。
【発明の効果】
【００１６】
本発明によれば、ＭＭＴ送信システムからＭＭＴＰデータを受信し提示する際に、ＭＭＴ提示クライアント装置がＭＭＴ提示装置にデータを出力してから生じる遅延によって生じるずれを解消することができるＭＭＴ受信システム、同期制御装置、同期制御方法および同期制御プログラムを提供することができる。
【図面の簡単な説明】
【００１７】
【図１】本発明の実施の形態に係るＭＭＴ配信システムのシステム構成を説明する図である。
【図２】本発明の実施の形態に係るＭＭＴ受信システムのシステム構成を説明する図である。
【図３】本発明の実施の形態に係る同期制御装置のハードウエア構成と機能構成を説明する図である。
【図４】本発明の実施の形態に係る同期制御装置が、遅延を補正する例を説明する図である。
【図５】本発明の実施の形態に係る同期制御装置の処理を説明するフローチャートである。
【発明を実施するための形態】
【００１８】
次に、図面を参照して、本発明の実施の形態を説明する。以下の図面の記載において、同一または類似の部分には同一または類似の符号を付している。
【００１９】
（ＭＭＴ配信システム）
図１を参照して、本発明の実施の形態に係るＭＭＴ配信システム１を説明する。ＭＭＴ配信システム１は、ＭＭＴ送信システム２およびＭＭＴ受信システム３を備える。ＭＭＴ送信システム２およびＭＭＴ受信システム３は、通信ネットワーク４によって双方向に通信可能に接続される。通信ネットワーク４は、インターネットやＬＡＮなどである。
【００２０】
図１を示す例では、便宜的に一方の物理空間にＭＭＴ送信システム２が設けられ、もう一方の物理空間にＭＭＴ受信システム３が設けられる場合を説明するが、両方の物理空間に、ＭＭＴ送信システム２およびＭＭＴ受信システム３の両方が設けられても良い。また、図１に示す例では、２つの物理空間におけるＭＭＴの送受信を説明するが、物理空間の数は、３以上であっても良い。
【００２１】
ＭＭＴ送信システム２は、カメラおよびマイクなどから映像・音声データＤ１を取得し、ＭＭＴＰパケットに変換して、ＭＭＴＰパケットで構成されるＭＭＴＰデータを、通信ネットワーク４を介してＭＭＴ受信システム３に送信する。ＭＭＴ受信システム３は、ＭＭＴ送信システムからＭＭＴＰパケットで構成されるＭＭＴＰデータを受信し、ＭＭＴＰデータを受信してデコードし、ディスプレイおよびスピーカーなどを介して映像・音声データＤ３を出力する。
【００２２】
ここでＭＭＴ送信システム２は、ＭＭＴ受信システム３で映像・音声データＤ３を提示する時刻をＵＴＣで指定する。ＭＭＴ受信システム３は、ＭＭＴ送信システム２で指定された時刻に先駆けてデコードなどを終えて、ＭＭＴ送信システム２で指定された時刻に提示可能なように、映像・音声データＤ３を提示する。
【００２３】
（ＭＭＴ受信システム）
図２を参照して、ＭＭＴ受信システム３を説明する。ＭＭＴ受信システム３は、検出装置８、同期制御装置５、ＭＭＴ提示クライアント装置群１１およびＭＭＴ提示装置群１２を備える。
【００２４】
ＭＭＴ提示クライアント装置群１１は、第１のＭＭＴ提示クライアント装置６ａおよび第２のＭＭＴ提示クライアント装置６ｂを備え、ＭＭＴ提示装置群１２は、第１のＭＭＴ提示装置７ａおよび第２のＭＭＴ提示装置７ｂを備える。本願の明細書において、第１のＭＭＴ提示クライアント装置６ａおよび第２のＭＭＴ提示クライアント装置６ｂを特に区別しない場合、単にＭＭＴ提示クライアント装置６と記載する場合がある。同様に、第１のＭＭＴ提示装置７ａおよび第２のＭＭＴ提示装置７ｂを特に区別しない場合、単にＭＭＴ提示装置７と記載する場合がある。
【００２５】
ＭＭＴ提示クライアント装置６およびＭＭＴ提示装置７は、互いに対応づけられて設けられ、接続される。ＭＭＴ提示クライアント装置６は、ＭＭＴ受信システム３からＭＭＴＰデータを受信してデコードし、保持する。ＭＭＴ提示クライアント装置６は、指定された提示時刻にあわせて、デコードされたＭＭＴＰデータをＭＭＴ提示装置７に入力する。ＭＭＴ提示装置７は、デコードされたＭＭＴＰデータを、提示する。
【００２６】
ＭＭＴ提示クライアント装置６は、ＣＰＵ（Central Processing Unit）などと呼ばれる処理装置であって、具体的には、ＳＴＢ（Set Top Box）１６、コンピュータやタブレットなどの端末１８の制御部１８ａなどである。ＭＭＴ提示クライアント装置６は、処理装置が実装する機能群であっても良い。ＭＭＴ提示装置７は、ディスプレイやスピーカー等の提示装置１７、端末１８の表示部１８ｂなどである。また、ＭＭＴ提示装置７としては、プロジェクタなどであっても良い。
【００２７】
検出装置８は、ＭＭＴ提示装置７による提示を検出する。ＭＭＴ提示装置７がディスプレイの場合、検出装置８は、カメラであり、ＭＭＴ提示装置７がスピーカーの場合、検出装置８は、マイクである。検出装置８は、提示を検出した結果である動画データや音声データを、同期制御装置５に入力する。
【００２８】
同期制御装置５は、ＭＭＴ提示クライアント装置６および検出装置８に接続し、ＭＭＴ提示クライアント装置６がデータを出力してから生じる遅延を測定し、その遅延を是正する。ＭＭＴ提示クライアント装置６がデータを出力してから生じる遅延は、例えば、ＭＭＴ提示装置７そのものの特性による遅延、ＭＭＴ提示クライアント装置６とＭＭＴ提示装置７の接続形態等によって生じた遅延などである。
【００２９】
同期制御装置５は、所定の時刻に特徴点を含むテストＭＭＴＰデータをＭＭＴ提示クライアント装置６に入力するとともに、そのテストＭＭＴＰデータがＭＭＴ提示装置７によって提示された結果を、検出装置８で検出する。同期制御装置５は、ＭＭＴ提示クライアント装置６への入力と、検出装置で検出した結果とを比較して、ずれを測定してＭＭＴ提示クライアント装置６に通知して、ＭＭＴ提示クライアント装置６にそのずれを是正させる。
【００３０】
（同期制御装置）
図３を参照して、本発明の実施の形態に係る同期制御装置５を説明する。同期制御装置５は、処理装置５０、記憶装置６０および通信制御装置７０を備える一般的なコンピュータである。一般的なコンピュータが同期制御プログラムを実行することにより、図３に示す機能を実現する。
【００３１】
処理装置５０は、ＣＰＵ（Central Processing Unit）であって、同期制御装置５における処理を実行する。記憶装置６０は、ＲＯＭ（Read Only Memory）、ＲＡＭ（Random access memory）、ハードディスク等であって、処理装置５０が処理を実行するための入力データ、出力データおよび中間データを記憶する。通信制御装置７０は、処理装置５０が、ＭＭＴ提示クライアント装置６および検出装置８に通信可能に接続するためのインタフェースである。
【００３２】
処理装置５０は、テスト信号入力部５１、テスト信号検出部５２、遅延量特定部５３および遅延補正部５４を備える。
【００３３】
テスト信号入力部５１は、所定の時刻に特徴点を含むテストＭＭＴＰデータをＭＭＴ提示クライアント装置６に入力する。特徴点は、テストＭＭＴＰデータを提示した結果得られる、一時点における提示結果の変化である。
【００３４】
ＭＭＴ提示装置７がディスプレイであって、テストＭＭＴＰデータが映像データである場合、特徴点は、所定時刻における映像の変更または特定情報の透かしである。映像の変更は例えば、映像全体画素または所定画素における、白から黒または黒から白に変化するなどの色の変化等である。特定情報の透かしは、映像データにおいて人が認識できない程度の変化を加えて、時刻情報などの特定の情報を埋め込むことである。
【００３５】
ＭＭＴ提示装置７がスピーカーであって、テストＭＭＴＰデータが音声データである場合、特徴点は、所定時刻にける音声の変更または特定情報の透かしである。音声の変更は例えば、有音区間と無音区間の区切り、特定周波数の有音区間と無音区間の区切り、音質の変更等である。特定情報の透かしは、音声データにおいて人が認識できない程度の変化を加えて、時刻情報などの特定の情報を埋め込むことである。
【００３６】
テスト信号入力部５１は、所定の時刻に特徴点を含むテストＭＭＴＰデータをＭＭＴ提示クライアント装置６に入力する。ＭＭＴ提示クライアント装置６は、入力されたテストＭＭＴＰデータをデコードして、ＭＭＴ提示装置７に提示させる。
【００３７】
テスト信号検出部５２は、ＭＭＴ提示装置７によるテストＭＭＴＰデータの提示を検出した結果を、検出装置８から取得する。テスト信号入力部５１が入力したテストＭＭＴＰデータのＭＭＴ提示装置７による提示の状況は、検出装置８によってキャプチャされ、キャプチャされた結果が、テスト信号検出部５２に入力される。テスト信号検出部５２は、キャプチャされた結果から、テストＭＭＴＰデータに含まれた特徴点を抽出し、抽出したＵＴＣ時刻を特定する。
【００３８】
テストＭＭＴＰデータが映像に関する場合、検出装置８はカメラである。テスト信号検出部５２は、検出装置８から映像データを取得して、テスト信号入力部５１が設定した特徴点を探索し、その特徴点が再生されたＵＴＣ時刻を特定する。
【００３９】
テストＭＭＴＰデータが音声に関する場合、検出装置８はマイクである。テスト信号検出部５２は、検出装置８から音声データを取得して、テスト信号入力部５１が設定した特徴点を探索し、その特徴点が再生されたＵＴＣ時刻を特定する。
【００４０】
遅延量特定部５３は、テスト信号検出部５２が取得した結果から特定された特徴点の時刻と、所定の時刻とを比較して、ＭＭＴ提示装置７の遅延量を特定する。
【００４１】
ＭＭＴクライアント装置６がＭＭＴ提示装置７にテストＭＭＴＰデータを出力した後に、ＭＭＴ提示装置７に関連して遅延が生じる場合、図４に示すように、ＭＭＴ提示クライアント装置６においてテストＭＭＴＰデータで想定した提示開始時Ｔ０に提示を開始したとしても、実際には、提示検出時Ｔ０’から提示が検出される。従って、テストＭＭＴＰデータに設けられた特徴点は、特徴点が設定された特徴点設定時Ｔよりも遅れた時刻（特徴点検出時Ｔ’）に検出される。
【００４２】
そこで遅延量特定部５３は、テスト信号入力部５１から、テストＭＭＴＰデータに特徴点を設定したＵＴＣ時刻（特徴点設定時Ｔ）を取得するとともに、テスト信号検出部５２から、その特徴点が検出されたＵＴＣ時刻（特徴点検出時Ｔ’）を取得する。特徴点設定時Ｔと特徴点検出時Ｔ’に差異がない場合、ＭＭＴ提示クライアント装置６がデコードされたテストＭＭＴＰデータを送出した後に遅延が生じていないことになる。
【００４３】
一方、図４に示すように特徴点検出時Ｔ’が、特徴点設定時Ｔから遅れる場合、ＭＭＴ提示クライアント装置６がデコードされたテストＭＭＴＰデータを送出した後に遅延が生じていることになる。遅延量特定部５３は、特徴点検出時Ｔ’と特徴点設定時Ｔとの差分（Ｔ’−Ｔ）を遅延量と特定する。
【００４４】
遅延補正部５４は、ＭＭＴ提示クライアント装置６に対して、遅延量特定部５３で特定された遅延量と、デコードされたＭＭＴＰデータをＭＭＴ提示装置７に入力するタイミングを補正する指示を入力する。
【００４５】
遅延補正部５４は、遅延量特定部５３で特定された遅延量（Ｔ’−Ｔ）をＭＭＴ提示クライアント装置６に入力し、ＭＭＴ提示クライアント装置６に、ＭＭＴＰデータを、遅延量だけ早くＭＭＴ提示装置７に入力するように指示する。ＭＭＴ提示クライアント装置６は、先にデコードされたテストＭＭＴＰデータをＭＭＴ提示装置７に入力していたタイミングより、遅延量（Ｔ’−Ｔ）だけ早く入力する。この結果図４に示すように、ＭＭＴ提示装置７は、提示開始時Ｔ０（提示検出時Ｔ０”）からデコードされたテストＭＭＴＰデータを提示することが可能になる。従って、ＭＭＴ提示装置７は、補正前の検出信号のように特徴点設定時Ｔから遅れることなく、特徴点設定時Ｔ（特徴点検出時Ｔ”）に、特徴点を再生することが可能になる。同様に、従来デコードされたＭＭＴＰデータをＭＭＴ提示装置７に入力していたタイミングより、遅延量（Ｔ’−Ｔ）だけ早く入力することにより、ＭＭＴ提示装置７に関する遅延を解消して、ＭＭＴＰデータで設定された時刻に、再生することが可能になる。
【００４６】
（同期制御方法）
図５を参照して、本発明の実施の形態に係る同期制御方法を説明する。
【００４７】
ＭＭＴ提示クライアント装置６と、このＭＭＴ提示クライアント装置６に対応するＭＭＴ提示装置７のそれぞれについて、ステップＳ１ないしステップＳ５の処理が繰り返される。
【００４８】
ステップＳ１において同期制御装置５は、特徴点を含むテストＭＭＴＰデータを、ＭＭＴ提示クライアント装置に入力する。またステップＳ２において同期制御装置５は、検出装置８に、ステップＳ１で入力したテストＭＭＴＰデータがＭＭＴ提示装置７で提示された状況をキャプチャさせ、検出装置８からキャプチャさせた結果を取得する。
【００４９】
ステップＳ３において同期制御方法は、ステップＳ１で入力したテストＭＭＴＰデータに設定した特徴点の時刻と、ステップＳ２において取得した結果に基づいて、ＭＭＴ提示装置７の提示から特定された特徴点の時刻とを比較する。
【００５０】
ステップＳ４において、テストＭＭＴＰデータに設定した特徴点の時刻と、ＭＭＴ提示装置７の提示から特定された特徴点の時刻に差分がない場合、同期制御装置５は、処理対象のＭＭＴ提示装置７においては遅延が生じていないと判定する。差分が所定閾値の範囲内の場合も、同期制御装置５は、処理対象のＭＭＴ提示装置７においては遅延が生じていないと判定しても良い。
【００５１】
一方、ステップＳ４において、テストＭＭＴＰデータに設定した特徴点の時刻と、ＭＭＴ提示装置７の提示から特定された特徴点の時刻に差分がある場合、同期制御装置５は、処理対象のＭＭＴ提示装置７においては遅延が生じていると判定する。差分が所定閾値の範囲以上の場合も、同期制御装置５は、処理対象のＭＭＴ提示装置７においては遅延が生じていると判定しても良い。ステップＳ５において同期制御装置５は、ＭＭＴ提示クライアント装置６に、提示のタイミングを補正する指示を入力する。
【００５２】
ステップＳ１ないしステップＳ５の処理が終わると、同期制御装置５は、次のＭＭＴ提示クライアント装置６と、このＭＭＴ提示クライアント装置６に対応するＭＭＴ提示装置７について、ステップＳ１ないしステップＳ５の処理を繰り返す。また、ＭＭＴ配信システム１における全てのＭＭＴ提示クライアント装置６と、このＭＭＴ提示クライアント装置６に対応するＭＭＴ提示装置７について、ステップＳ１ないしステップＳ５の処理が終了すると、同期制御装置５は、処理を終了する。
【００５３】
図５に示す例では、同期制御装置５が、ＭＭＴ提示クライアント装置６およびＭＭＴ提示装置７を一組ずつ補正する場合を説明したがこれに限られない。例えば検出装置８が、全てのＭＭＴ提示装置７の提示をキャプチャできる場合など、ＭＭＴ提示クライアント装置６およびＭＭＴ提示装置７の各組の補正を並列して進めても良い。
【００５４】
このような本発明の実施の形態に係るＭＭＴ受信システム３によれば、ＭＭＴ提示装置７、またはＭＭＴ提示クライアント装置群１１とＭＭＴ提示装置群１２との接続に依存する遅延が生じる場合でも、ＭＭＴ提示装置７に関連して生じた遅延量を特定することが可能になる。従って、特定された遅延量分早く、ＭＭＴ提示クライアント装置６がＭＭＴ提示装置７にデコードされたＭＭＴＰデータを入力することにより、ＭＭＴ受信システム３における全てのＭＭＴ提示装置７におけるＭＭＴＰデータの提示を同期させることができる。この結果、ＭＭＴ送信システム２からＭＭＴＰデータを受信し提示する際に、ＭＭＴ提示装置７等の遅延によって生じるずれを解消することが可能になる。
【００５５】
さらに、各ＭＭＴ提示装置７等の遅延を解消し、同期させることにより、複数のＭＭＴ提示装置７を用いた場合でも、一体的な迫力のあるコンテンツを提供することが可能になる。
【００５６】
（第１の変形例）
本発明の実施の形態においては、同期制御装置５が、ＭＭＴＰテストデータを生成して、ＭＭＴ提示クライアント装置６が、生成されたＭＭＴＰテストデータをデコードして、ＭＭＴ提示装置７に入力する場合を説明した。
【００５７】
第１の変形例において、同期制御装置５のテスト信号入力部５１は、特徴点の種類と特徴点を設定する所定の時刻をＭＭＴ提示クライアント装置６に入力する。ＭＭＴ提示クライアント装置６は、ＭＭＴ送信システム２から受信したＭＭＴＰデータの所定の時刻に、同期制御装置５から入力された特徴点を重畳する。
【００５８】
このような第１の変形例によれば、ＭＭＴ受信システム３は、ＭＭＴ送信システム２から送信された本番データを再生する状況においても、ＭＭＴ提示装置７に関わるずれを補正することが可能になる。
【００５９】
（第２の変形例）
本発明の実施の形態においては、同期制御装置５が、ＭＭＴ提示クライアント装置６と物理的に異なる場合を説明したが、第１の変形例においては、同期制御装置５の各機能が、ＭＭＴ提示クライアント装置６内で実装される。具体的には、図２に示すＭＭＴ提示クライアント装置６のそれぞれに、同期制御装置５の機能が実装され、検出装置８が各ＭＭＴ提示クライアント装置６に接続する。
【００６０】
このような第２の変形例によれば、ＭＭＴ受信システム３における接続をシンプルにすることが可能になる。
【００６１】
（第３の変形例）
ＭＭＴ提示装置７における遅延は、ＭＭＴ提示装置７の特性に依存すると考えられるので、第３の変形例においては、上述した方法で測定された遅延を、ＭＭＴ提示装置７の型番等で対応づけたデータベースを生成する。このようなデータベースを用いることにより、過去に測定された遅延に基づいて補正をすることができる。
【００６２】
また、ＭＭＴ提示クライアント装置６とＭＭＴ提示装置７との接続状況に依存する遅延が大きい場合、データベースにおいて、さらに接続状況も対応づけてもよい。ＭＭＴ提示クライアント装置６とＭＭＴ提示装置７との接続状況は、例えば、ケーブルの長さおよび種類、ケーブルを接続するコネクタの種類、およびこれらの接続順序などである。
【００６３】
このようなＭＭＴ受信システムによれば、ＭＭＴ受信システム３におけるセッティングに時間をかけることなく、ＭＭＴＰデータを同期して再生することが可能になる。
【００６４】
（その他の実施の形態）
上記のように、本発明の実施の形態とその変形例１ないし３によって記載したが、この開示の一部をなす論述および図面はこの発明を限定するものであると理解すべきではない。この開示から当業者には様々な代替実施の形態、実施例および運用技術が明らかとなる。
【００６５】
例えば、本発明の実施の形態に記載した同期制御装置は、図２に示すように一つのハードウエア上に構成されても良いし、その機能や処理数に応じて複数のハードウエア上に構成されても良い。また、既存の装置上に実現されても良い。
【００６６】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００６７】
１  ＭＭＴ配信システム
２  ＭＭＴ送信システム
３  ＭＭＴ受信システム
４  通信ネットワーク
５  同期制御装置
６  ＭＭＴ提示クライアント装置
７  ＭＭＴ提示装置
８  検出装置
１１  ＭＭＴ提示クライアント群
１２  ＭＭＴ提示装置群
１６  ＳＴＢ
１７  提示装置
５０  処理装置
５１  テスト信号入力部
５２  テスト信号検出部
５３  遅延量特定部
５４  遅延補正部
６０  記憶装置
７０  通信制御装置
【図１】
2018201150.tif 000003
【図２】
2018201150.tif 000004
【図３】
2018201150.tif 000005
【図４】
2018201150.tif 000006
【図５】
2018201150.tif 000007